Podtech/llm-jp-corpus-v4-ja_patent huggingface dataset:
【手続補正書】
【提出日】平成17年3月3日(2005.3.3)
【手続補正１】
【補正対象書類名】特許請求の範囲
【補正対象項目名】全文
【補正方法】変更
【補正の内容】
【特許請求の範囲】
【請求項１】
野生型アレルゲンと比較してアレルゲン活性が有意に低下している、組換えヤケヒョウヒダニ（Dermatophagoides pteronyssinus）DerP1またはProDerP1（DerP1/ProDerP1）タンパク質アレルゲン誘導体。
【請求項２】
熱処理されている、請求項１に記載の組換えDerP1/ProDerP1誘導体。
【請求項３】
遺伝的に変異されている、請求項１に記載の組換えDerP1/ProDerP1誘導体。
【請求項４】
以下のDerP1変異の１つ以上を含む、請求項３に記載の組換えDerP1/ProDerP1変異体：システイン４残基の変異、システイン31残基の変異、システイン65残基の変異、システイン71残基の変異、システイン103残基の変異、およびシステイン117残基の変異。
【請求項５】
配列番号３、配列番号５、配列番号７、配列番号９、配列番号11、配列番号13よりなる群から選択されるいずれかの配列を有する組換え変異体アレルゲン。
【請求項６】
請求項１〜５のいずれか１項に記載のアレルゲンの変異体をコードする単離された核酸分子。
【請求項７】
コドン使用パターンは高度に発現される哺乳動物遺伝子のコドン使用パターンに似ている、請求項６に記載の核酸配列。
【請求項８】
請求項６または７に記載の核酸を含有する発現ベクター。
【請求項９】
請求項６もしくは７に記載の核酸配列または請求項８に記載のベクターで形質転換された宿主細胞。
【請求項１０】
請求項１〜５のいずれか１項に記載の組換えタンパク質もしくは変異体アレルゲン、または請求項６〜８のいずれか１項に記載のコードポリヌクレオチド、そしてアジュバントを含むかまたは含まない免疫学的組成物。
【請求項１１】
アジュバントは、Th1型免疫応答の優先的刺激物質である、請求項１０に記載の免疫学的組成物。
【請求項１２】
アジュバントは、3D-MPL、QS21、CpGオリゴヌクレオチド、ポリエチレンエーテルもしくはエステルの１つ以上、またはこれらのアジュバントの２つ以上の組合せを含む、請求項１０または１１に記載の免疫学的組成物。
【請求項１３】
アレルゲンは、水中油または油中水エマルジョンビヒクルで提供される、請求項１０から１２のいずれか1項に記載の免疫学的組成物。
【請求項１４】
医薬中で使用される本明細書に記載の免疫学的組成物。
【請求項１５】
アレルギー治療のための医薬の製造における、請求項１〜５のいずれか１項に記載の組換えタンパク質または変異体アレルゲンの使用。
【手続補正書】
【提出日】平成17年8月2日(2005.8.2)
【手続補正１】
【補正対象書類名】特許請求の範囲
【補正対象項目名】全文
【補正方法】変更
【補正の内容】
【特許請求の範囲】
【請求項１】
機能性ＩＬ−６分子および機能性ＤＳ−ｓＩＬ−６Ｒ分子を含む融合タンパク質であって、ＭＩＰ−１α、ＭＩＰ−１β、ＲＡＮＴＥＳおよびＩＰ−１０のうちの１つまたはそれ以上の発現を増大するタンパク質。
【請求項２】
前記機能性ＩＬ−６分子および前記機能性ＤＳ−ｓＩＬ−６Ｒ分子はリンカーにより一緒に連結される請求項１記載の融合タンパク質。
【請求項３】
前記リンカーは配列ＲＧＧＧＧＳＧＧＧＧＳＶＥを含む請求項２記載の融合タンパク質。
【請求項４】
前記機能性ＩＬ−６分子は図３の残基２９〜２１２またはその機能的に等価な相同体を含む請求項１ないし３のいずれか１項に記載の融合タンパク質。
【請求項５】
前記機能性ＩＬ−６分子は図３の配列またはその機能的に等価なものを含む請求項１ないし４のいずれか１項に記載の融合タンパク質。
【請求項６】
前記機能性ＤＳ−ｓＩＬ−６Ｒ分子は図４の残基１１３〜３６４またはその機能的に等価な相同体を含む請求項１ないし５のいずれか１項に記載の融合タンパク質。
【請求項７】
前記機能性ＤＳ−ｓＩＬ−６Ｒ分子は図４の配列またはその機能的に等価なものを含む請求項１ないし６のいずれか１項に記載の融合タンパク質。
【請求項８】
１つまたはそれ以上の機能性ＩＬ−６分子および１つまたはそれ以上の機能性ＤＳ−ｓＩＬ−６Ｒ分子を含む請求項１ないし７のいずれか１項に記載の融合タンパク質。
【請求項９】
１つの機能性ＩＬ−６分子および１つの機能性ＤＳ−ｓＩＬ−６Ｒ分子を含む請求項１ないし７のいずれか１項に記載の融合タンパク質。
【請求項１０】
ＭＩＰ−１α、ＭＩＰ−１βおよびＲＡＮＴＥＳの発現を増大する請求項１ないし９のいずれか１項に記載の融合タンパク質。
【請求項１１】
ＭＩＰ−１α、ＭＩＰ−１β、ＲＡＮＴＥＳおよびＩＰ−１０の発現を増大する請求項１ないし９のいずれか１項に記載の融合タンパク質。
【請求項１２】
ＭＩＰ−α、ＭＩＰ−βまたはＲＡＮＴＥＳの発現を少なくとも５倍増大する請求項１ないし１１のいずれか１項に記載の融合タンパク質。
【請求項１３】
請求項１ないし１２のいずれか１項に記載の融合タンパク質をコードする核酸分子。
【請求項１４】
請求項１３記載の核酸分子を含む発現ベクター。
【請求項１５】
前記核酸分子の発現を得るためにプロモーターおよびその他の調節配列を含む請求項１４記載のベクター。
【請求項１６】
請求項１４または請求項１５記載のベクターで形質転換される宿主細胞。
【請求項１７】
請求項１ないし１１のいずれか１項に記載の融合タンパク質の産生方法であって、適切な宿主細胞中で請求項１３記載の核酸分子を発現すること、および前記タンパク質を単離することを包含する融合タンパク質の生産方法。
【請求項１８】
請求項１４または請求項１５記載のベクターで宿主細胞を形質転換すること、請求項１ないし１２のいずれか１項に記載の融合タンパク質の産生のための適切な条件下で宿主細胞を培養すること、および前記融合タンパク質を単離することを包含する請求項１７記載の方法。
【請求項１９】
請求項１ないし１２のいずれか１項に記載の融合タンパク質のアゴニストまたはアンタゴニストを特定するスクリーニング方法であって、候補分子が前記融合タンパク質の機能に影響を及ぼすか否かを確定するために前記候補分子を試験することを包含する方法。
【請求項２０】
ｇｐ１３０と結合し、請求項１ないし１２のいずれか１項に記載の融合タンパク質とＨ−ＩＬ−６の両方の作用を阻害する請求項１ないし１２のいずれか１項に記載の融合タンパク質の阻害形態。
【請求項２１】
請求項１ないし１２のいずれか１項に記載の融合タンパク質により引き起こされるＭＩＰ−１α、ＭＩＰ−１β、ＲＡＮＴＥＳまたはＩＰ−１０の発現を阻害し、Ｈ−ＩＬ−６により引き起こされるＭＣＰ−１の発現を阻害する請求項２０記載の融合タンパク質の阻害形態。
【請求項２２】
ｇｐ１３０と結合し、請求項１ないし１２のいずれか１項に記載の融合タンパク質の作用を阻害する請求項１ないし１２のいずれか１項に記載の融合タンパク質の阻害形態であって、Ｈ−ＩＬ−６ではない融合タンパク質の阻害形態。
【請求項２３】
ｉｎ  ｖｉｔｒｏでの、細胞系中のシグナル伝達経路の調整方法における請求項１ないし１２のいずれか１項に記載の融合タンパク質または請求項２０もしくは請求項２１記載の阻害形態の使用。
【請求項２４】
請求項１ないし１２のいずれか１項に記載の融合タンパク質、および薬学的に許容可能な担体、希釈剤または賦形剤を含む薬学的組成物。
【請求項２５】
請求項１４または１５記載の発現ベクターの請求項１３記載の核酸分子、および薬学的に許容可能な担体、希釈剤または賦形剤を含む薬学的組成物。
【請求項２６】
治療に用いるための請求項１ないし１２のいずれか１項に記載の融合タンパク質、請求項１２記載の核酸または請求項１４もしくは請求項１５記載の発現ベクター。
【請求項２７】
感染性疾患、炎症性障害または免疫学的障害の予防もしくは治療のための、請求項２４または２５に記載の薬学的組成物。
【請求項２８】
前記感染性疾患はＨＩＶのＭ栄養株により引き起こされるＡＩＤＳである請求項２７記載の薬学的組成物。
【請求項２９】
前記感染性疾患は細菌性腹膜炎である請求項２７記載の薬学的組成物。
【請求項３０】
高レベルのＩＬ−６に関連した免疫学的障害の予防または治療のための、請求項２０ないし２２のいずれか１項に記載の融合タンパク質の阻害形態を含む薬学的組成物。
【請求項３１】
前記免疫学的障害が関節リウマチである請求項２７記載の薬学的組成物。
【手続補正書】
【提出日】平成17年5月26日(2005.5.26)
【手続補正１】
【補正対象書類名】特許請求の範囲
【補正対象項目名】全文
【補正方法】変更
【補正の内容】
【特許請求の範囲】
【請求項１】
ヘラオオバコの主要アレルゲンであるPla l 1の少なくとも１つのエピトープを含むペプチド又はタンパク質をコードする核酸分子であって、前記核酸分子が、
ａ）配列ＩＤ番号３の配列を有するか、
ｂ）配列ＩＤ番号３の配列の少なくとも１５塩基対のフラグメントであるか、
ｃ）配列ＩＤ番号４のアミノ酸配列をコードする配列を有し、かつ配列ＩＤ番号３の配列に対して７０％を超える配列同一性を有するか、
ｄ）配列ＩＤ番号４の配列のフラグメントのアミノ酸配列をコードする少なくとも１５塩基対の配列を有しかつ配列ＩＤ番号３の配列に対して９５％を超える配列同一性を有するか、
ｅ）ストリンジェントな条件下で配列ＩＤ番号３にハイブリダイズする配列を有するか、又は
ｆ）配列ａ）〜ｅ）の相補鎖を有する、
ことを特徴とする、核酸分子。
【請求項２】
前記核酸分子が、オオバコ科から選択された植物が起源である、請求項１記載の核酸分子。
【請求項３】
前記配列ｄ）が、高いストリンジェントな条件下で、配列ＩＤ番号３にハイブリダイズする配列である、請求項１又は２記載の核酸分子。
【請求項４】
前記配列ｄ）が、配列ＩＤ番号３と少なくとも約６７％の配列同一性を有する、請求項１〜３のいずれか１項記載の核酸分子。
【請求項５】
ヘラオオバコの主要アレルゲンであるPla l 1の少なくとも１つのエピトープを含む組換えタンパク質又はペプチドであって、配列ＩＤ番号４のアミノ酸１〜１６から成るアミノ酸配列及びそのフラグメントを除く、請求項１〜４のいずれか１項記載の核酸配列に対応するアミノ酸配列を有することを特徴とする、組換えタンパク質又はペプチド。
【請求項６】
配列ＩＤ番号４と比べて変更性のアミノ酸配列を含み、ＩｇＥ結合親和性が減少している、請求項５記載のタンパク質又はペプチド。
【請求項７】
オレア・ヨーロッパエアのアレルゲンOle e 1のエピトープと同じＩｇＥ結合特異性を有する少なくとも１つのエピトープを含む、請求項５又は６記載のタンパク質又はペプチド。
【請求項８】
前記タンパク質又はペプチドが、それらの誘導体である、請求項５〜７のいずれか１項記載のタンパク質又はペプチド。
【請求項９】
医薬品として使用するための、請求項５〜８のいずれか１項記載のタンパク質又はペプチド。
【請求項１０】
患者のアレルギー反応を、予防し、軽減し又は治療する医薬品の製造のための、請求項５〜８のいずれか１項記載のタンパク質の使用。
【請求項１１】
宿主の形質転換に適合された発現ベクターであって、請求項１〜４のいずれか１項記載の核酸分子を含むことを特徴とする、ベクター。
【請求項１２】
前記ベクターが、プラスミドである、請求項１１記載の発現ベクター。
【請求項１３】
請求項１１又は１２に記載の発現ベクターを含むことを特徴とする、宿主細胞。
【請求項１４】
ヘラオオバコの主要アレルゲンであるPla l 1の少なくとも1つのエピトープを含む組換えペプチド又はタンパク質を生成する方法であって、前記Pla l 1ヌクレオチド配列が発現し、かつ前記ペプチド又はタンパク質が生成されるような条件下で、請求項１３記載の宿主細胞を培養する工程、及び前記ペプチド又はタンパク質を単離する工程を含むことを特徴とする、方法。
【請求項１５】
請求項５〜８のいずれか１項記載の組換えペプチド又はタンパク質を、有効成分として含むことを特徴とする、医薬組成物。
【請求項１６】
アレルギー反応の予防、軽減又は治療用の請求項１５に記載の医薬組成物。
【請求項１７】
ワクチンである、請求項１５に記載の医薬組成物。
【請求項１８】
Pla l 1アレルゲンに対するアレルギーの診断又は予知用である、請求項１５に記載の医薬組成物。
【請求項１９】
患者のPla l 1アレルゲンに対するアレルギーのインビトロ又はインビボでの診断又は予知に使用する試薬であって、前記試薬が、請求項５〜８のいずれか１項記載のタンパク質又はペプチドを含むことを特徴とする、試薬。
【手続補正書】
【提出日】平成17年7月20日(2005.7.20)
【手続補正１】
【補正対象書類名】特許請求の範囲
【補正対象項目名】全文
【補正方法】変更
【補正の内容】
【特許請求の範囲】
【請求項１】
ビオチン化色素の存在下で、ビオチン標識したオリゴヌクレオチドがそのアビジンまたはストレプタビジンとの複合体から置き換わることを含む、ホモジニアスな相において核酸依存性トランスロカーゼの阻害剤を検出する方法。
【手続補正書】
【提出日】平成17年8月25日(2005.8.25)
【手続補正１】
【補正対象書類名】特許請求の範囲
【補正対象項目名】全文
【補正方法】変更
【補正の内容】
【特許請求の範囲】
【請求項１】
(ａ)配列番号３または配列番号５の配列を含むポリヌクレオチドによりコード化される単離ｍＧＲＲポリペプチド、
(ｂ)配列番号４または配列番号６のポリペプチド配列と少なくとも９６％の同一性を有するポリペプチド配列を含み、リガンド結合検定法においてｍＧＲＲの場合と類似した特性を示す単離ｍＧＲＲポリペプチド、
(ｃ)配列番号４または配列番号６のポリペプチド配列を含む単離ｍＧＲＲ１ｂまたはｍＧＲＲ２ポリペプチド、
(ｄ)配列番号４または配列番号６のポリペプチド配列と少なくとも９６％の同一性を有し、リガンド結合検定法においてｍＧＲＲの場合と類似した特性を示す単離ｍＧＲＲポリペプチド、
(ｅ)配列番号４または配列番号６のポリペプチド配列、
(ｆ)配列番号４または配列番号６のポリペプチド配列と比べて０.９６の同一性指数を有するポリペプチド配列を有するかまたは含み、リガンド結合検定法においてｍＧＲＲの場合と類似した特性を示す単離ｍＧＲＲポリペプチド、
(ｇ)(ａ)〜(ｆ)記載の上記ポリペプチドのフラグメントまたは変異型
から成る群の一つから選択される単離ｍＧＲＲポリペプチド。
【請求項２】
配列番号４または配列番号６のポリペプチド配列である、請求項１記載の単離ポリペプチド。
【請求項３】
(ａ)配列番号３または配列番号５のポリヌクレオチド配列と少なくとも８０％の同一性を有するポリヌクレオチド配列を含み、リガンド結合検定法においてｍＧＲＲと類似した特性を示すポリペプチドをコード化する単離ｍＧＲＲポリヌクレオチド、
(ｂ)配列番号３または配列番号５のポリヌクレオチドを含む単離ポリヌクレオチド、
(ｃ)配列番号３または配列番号５のポリヌクレオチドと少なくとも９６％の同一性を含み、リガンド結合検定法においてｍＧＲＲと類似した特性を示すポリペプチドをコード化する単離ポリヌクレオチド、
(ｄ)配列番号３または配列番号５の単離ポリヌクレオチド、
(ｅ)配列番号４または配列番号６のポリペプチド配列と少なくとも９６％の同一性を有するポリペプチド配列をコード化するポリヌクレオチド配列を含み、リガンド結合検定法においてｍＧＲＲと類似した特性を示すポリペプチドをコード化する単離ポリヌクレオチド、
(ｆ)配列番号３または配列番号５のポリペプチドをコード化するポリヌクレオチド配列を含む単離ポリヌクレオチド、
(ｇ)配列番号４または配列番号６のポリペプチド配列と少なくとも９６％の同一性を有するポリペプチド配列をコード化するポリヌクレオチド配列を含み、リガンド結合検定法においてｍＧＲＲと類似した特性を示すポリペプチドをコード化する単離ポリヌクレオチド、
(ｈ)配列番号４または配列番号６のポリペプチドをコード化する単離ポリヌクレオチド、
(ｉ)配列番号３または配列番号５のポリヌクレオチド配列に対し０.９６の同一性指数を有するポリヌクレオチド配列を含み、リガンド結合検定法においてｍＧＲＲと類似した特性を示すポリペプチドをコード化する単離ポリヌクレオチド、または
(ｋ)配列番号４または配列番号６のポリペプチド配列に対し０.９６の同一性指数を有するポリペプチド配列をコード化するポリヌクレオチド配列を含み、リガンド結合検定法においてｍＧＲＲと類似した特性を示すポリペプチドをコード化する単離ポリヌクレオチド、または上述のポリヌクレオチドのフラグメントまたは変異型であるかまたはその全長にわたって上述のポリヌクレオチドと相補的であるポリヌクレオチド
から成る群の一つから選択される単離ｍＧＲＲポリヌクレオチド。
【請求項４】
(ａ)配列番号３または配列番号５のポリヌクレオチドを含む単離ポリヌクレオチド、
(ｂ)配列番号３または配列番号５の単離ポリヌクレオチド
(ｃ)配列番号４または配列番号６のポリペプチドをコード化するポリヌクレオチド配列を含む単離ポリヌクレオチド、および
(ｄ)配列番号４または配列番号６のポリペプチドをコード化する単離ポリヌクレオチド
から成る群から選択される、請求項３記載の単離ポリヌクレオチド。
【請求項５】
発現ベクターが適合し得る宿主細胞に存在するとき、請求項１記載のポリペプチドを生産し得るポリヌクレオチドを含む発現系。
【請求項６】
請求項５記載の発現ベクターを含む組換え宿主細胞または請求項１記載のポリペプチドを発現するその膜。
【請求項７】
ポリペプチドの生産に十分な条件下で請求項６記載の宿主細胞を培養し、培養培地からポリペプチドを採取する工程を含む、請求項１記載のポリペプチドの製造方法。
【請求項８】
免疫グロブリンＦｃ領域および請求項１のいずれか一つのポリペプチドから成る融合タンパク質。
【請求項９】
請求項１〜２のいずれか１項記載のポリペプチドについて免疫特異性を示す抗体。
【請求項１０】
請求項１記載のポリペプチドの機能またはレベルを刺激または阻害する化合物を同定するためのスクリーニング方法であって、
(ａ)候補化合物に直接的または間接的に随伴した標識手段によりポリペプチドへの(またはポリペプチドを発現する細胞または膜への)またはその融合タンパク質への候補化合物の結合を定量的または定性的に測定または検出する、
(ｂ)標識競合体の存在下において、ポリペプチドへの(またはポリペプチドを発現する細胞または膜への)またはその融合タンパク質への候補化合物の結合の競合を測定する、
(ｃ)ポリペプチドを発現する細胞または細胞膜に適切な検出系を用いて、候補化合物がポリペプチドの活性化または阻害によりシグナルを発生させるか否かを試験する、
(ｄ)請求項１記載のポリペプチドを含む溶液と候補化合物を混合して混合物を形成させ、混合物におけるポリペプチドの活性を測定し、そして候補化合物を含まない対照混合物と上記混合物の活性を比較するか、または
(ｅ)例えばＥＬＩＳＡ検定法を用いて、細胞における上記ポリペプチドをコード化するｍＲＮＡまたは上記ポリペプチドの生産に対する候補化合物の影響を検出し、そして
(ｆ)バイオテクノロジー的または化学的標準技術にしたがって上記化合物を生産させる
工程から成る群から選択される方法を含む方法。
【手続補正２】
【補正対象書類名】明細書
【補正対象項目名】０１０９
【補正方法】変更
【補正の内容】
【０１０９】
ｅ)抗体およびペプチド
抗体(ポリクローナルまたはモノクローナル)は、ｍＧＲＲのＮおよびＣ末端エピトープに対して産生される。同定された推定相互作用タンパク質(例えば上記ＰＩＣＫ１)とｍＧＲＲタンパク質の会合を破壊することが予測されるペプチドを設計する。内在的に発現されたｍＧＲＲタンパク質の機能を破壊する目的で抗体および／またはペプチドを培養ニューロン細胞に適用する。抗体および／またはペプチド処理細胞の電気生理学的特性を未処理細胞と比較研究する。
【手続補正書】
【提出日】平成17年9月1日(2005.9.1)
【手続補正１】
【補正対象書類名】特許請求の範囲
【補正対象項目名】全文
【補正方法】変更
【補正の内容】
【特許請求の範囲】
【請求項１】
ａ）患者から細胞のサンプルを入手すること；
ｂ）特異的なモジュレータでの該細胞のインビトロ調節の非存在下および存在下でサンプルから遺伝子発現プロフィールを得ること；および
ｃ）サンプルの遺伝子発現プロフィールと参照遺伝子発現プロフィールとを比較すること、
を含み、サンプル発現プロフィールと参照発現プロフィールとの間の類似性が患者の炎症性疾患を処置するための薬物の効力を予測する、ヒト患者において炎症性疾患を処置するための薬物の効力を予測する方法。
【請求項２】
発現プロフィールが、表１、2A、2B、4A、4Bおよび5A〜5Eに挙げられる１つ以上の遺伝子に対する発現値を含む請求項１記載の方法。
【請求項３】
発現プロフィールが、表１、2Aおよび2Bに挙げられる１つ以上の遺伝子に対する発現値を含む請求項２記載の方法。
【請求項４】
発現プロフィールが、表4Aおよび4Bに挙げられる１つ以上の遺伝子に対する発現値を含む請求項２記載の方法。
【請求項５】
発現プロフィールが表5A〜5Eに挙げられる１つ以上の遺伝子に対する発現値を含む請求項２記載の方法。
【請求項６】
サンプルの遺伝子発現プロフィールを得る前に炎症性疾患を処置するための薬物にサンプルを曝すことをさらに含む請求項１記載の方法。
【請求項７】
炎症性疾患が、喘息、アトピー、慢性関節リウマチ、若年性慢性関節炎、乾癬、炎症性腸疾患および敗血症からなる群より選ばれるものである請求項１記載の方法。
【請求項８】
アトピーが、鼻炎、結膜炎、皮膚炎および湿疹からなる群より選ばれるアトピー性炎症性疾患である請求項７記載の方法。
【請求項９】
薬物が、喘息のための副腎皮質ステロイド、β2-アゴニストおよびロイコトリエンアンタゴニスト薬物からなる群より選ばれる薬物のクラスから選ばれるものである請求項１記載の方法。
【請求項１０】
薬物が、炎症性疾患状態に対する症状軽減剤および抗炎症性薬物からなる群より選ばれるものである請求項１記載の方法。
【請求項１１】
細胞のサンプルが末梢血単核細胞または好中球に由来するものである請求項１記載の方法。
【請求項１２】
サンプルが、滑膜または気道平滑筋からのバイオプシーにより得られる請求項１記載の方法。
【請求項１３】
サンプルの遺伝子発現プロフィールが、マイクロアレイに含まれるオリゴヌクレオチドへのハイブリダイゼーションアッセイを用いて得られる請求項１記載の方法。
【請求項１４】
有益な遺伝子に対応するポリヌクレオチドにハイブリダイズ可能なハイブリダイゼーションプローブおよびハイブリダイゼーションを検出するための試薬を含む、請求項１３記載の方法によりヒト患者の炎症性疾患を処置するための薬物の効力を予測する方法。
【請求項１５】
サンプルの遺伝子発現プロフィールが、有益な遺伝子のタンパク質産物を検出することにより得られる請求項１記載の方法。
【請求項１６】
有益な遺伝子のタンパク質産物に特異的に結合可能な抗体および抗体結合を検出するための試薬を含む、請求項１５記載の方法によりヒト患者の炎症性疾患を処置するための薬物の効力を予測する方法。
【請求項１７】
参照発現プロフィールが喘息を有さない患者に由来する細胞のものである請求項１記載の方法。
【請求項１８】
参照発現プロフィールが炎症性疾患を有さない患者に由来する細胞のものである請求項１記載の方法。
【請求項１９】
細胞が、発現プロフィールが得られる前に薬物候補で処理される請求項１記載の方法。
【請求項２０】
ａ）患者から細胞のサンプルを得ること；
ｂ）特異的なメディエータでの細胞のインビトロ活性化の非存在下および存在下でサンプルから遺伝子発現プロフィールを得ること；および
ｃ）サンプルの遺伝子発現プロフィールと参照遺伝子発現プロフィールとを比較すること、
を含み、サンプルと参照プロフィールとの間の発現プロフィールにおける類似性が、サンプルが得られた患者における糖コルチコイド感受性を示す、喘息患者において糖コルチコイド感受性をスクリーニングする方法。
【請求項２１】
ａ）患者から細胞のサンプルを得ること；
ｂ）特異的なメディエータでの細胞のインビトロ調節の非存在下および存在下でサンプルに由来する遺伝子発現プロフィールを得ること；および
ｃ）サンプルの遺伝子発現プロフィールと参照遺伝子発現プロフィールとを比較すること、
を含み、サンプルと参照プロフィールとの間の発現プロフィールにおける類似性がロイコトリエンアンタゴニストのヒト喘息患者における効力を予測する、ロイコトリエンアンタゴニストのヒト喘息患者における効力を予測する方法。
【請求項２２】
表１、2A、2B、4A、4Bおよび5A〜5Eに記載される１つ以上の遺伝子からの遺伝子産物の発現レベルを含む発現プロフィール。
【請求項２３】
a)ヒト患者から細胞のサンプルを得る工程；
b)特異的サイトカイン／メディエータでサンプルを処理することにより、任意にプロ炎症様状態を誘導する工程；
c)サンプルから遺伝子発現プロフィールを得る工程；および
d)サンプルの遺伝子発現プロフィールと、薬物に対して応答性である１人以上の患者から得られた薬物に対する応答性を示す参照遺伝子発現プロフィールおよび／または薬物に対して非応答性である１人以上の患者から得られた薬物に対する非応答性を示す参照遺伝子発現プロフィールとを比較する工程、
を含み、サンプル発現プロフィールと参照発現プロフィールとの間の類似性が、患者が炎症性疾患を処置するための薬物に対して応答者であるか、または非応答者であるかを予測する、炎症性疾患を処置するための薬物に対する非応答者から該薬物に対する応答者を診断する方法。
【請求項２４】
炎症性疾患が、喘息、アトピー、リウマチ様関節炎、若年性慢性関節炎、乾癬、炎症性腸疾患および敗血症からなる群より選ばれる請求項２３記載の方法。
【請求項２５】
薬物が、喘息のためのコルチコステロイド、β2-アゴニストおよびロイコトリエンアンタゴニストからなる群より選ばれる薬物のクラスから選択される請求項２３記載の方法。
【手続補正書】
【提出日】平成15年7月22日(2003.7.22)
【手続補正１】
【補正対象書類名】明細書
【補正対象項目名】特許請求の範囲
【補正方法】変更
【補正の内容】
【特許請求の範囲】
【請求項１】
ミスマッチ修復遺伝子の優性ネガティブ対立遺伝子を含むポリヌクレオチドを、事前に選択された抗原を発現する哺乳動物細胞内に導入することを含んでなる、超変異性抗原の作製方法。
【請求項２】
該ミスマッチ修復遺伝子がＰＭＳ２である、請求項１記載の方法。
【請求項３】
該ミスマッチ修復遺伝子がＭＬＨ１である、請求項１記載の方法。
【請求項４】
該ミスマッチ修復遺伝子がＰＭＳ１である、請求項１記載の方法。
【請求項５】
該ミスマッチ修復遺伝子がＭＳＨ２である、請求項１記載の方法。
【請求項６】
該対立遺伝子が末端短縮変異を含んでなる、請求項４記載の方法。
【請求項７】
該超変異性抗原が、増加した抗原性および増加した免疫原性よりなる群より選ばれる新規の生化学的特徴を含んでなる、請求項１記載の方法。
【請求項８】
該ポリヌクレオチドの該導入が少なくとも１個のＤＮＡ変異原の存在下である、請求項１記載の方法。
【請求項９】
タグ付けされた抗原をコードするポリヌクレオチドをＭＭＲ欠陥細胞内に導入することを含んでなる、分泌された抗原のランダムに改変された形を作製するための方法。
【請求項１０】
該タグ付けされた抗原が増加した抗原性についてスクリーニングされる、請求項９記載の方法。
【請求項１１】
該タグ付けされた抗原が増加した免疫原性についてスクリーニングされる、請求項９記載の方法。
【請求項１２】
細胞が生来的にＭＭＲ欠陥性である、請求項９記載の方法。
【請求項１３】
興味のある事前に選択された抗原を含む細胞内に、ミスマッチ修復遺伝子の優性ネガティブ対立遺伝子をコードするポリヌクレオチドを含んでなる誘導性発現ベクターを導入し、該優性ネガティブミスマッチ修復遺伝子を発現するように該細胞を誘導し、そして該抗原の少なくとも１種の新規の生化学的特徴を検出することを含んでなる、可逆的に不安定な細胞内で変異された抗原を産生する方法。
【請求項１４】
関係する事前選択された該抗原が該細胞内に事前にトランスフェクションされたポリヌクレオチド上にコードされている、請求項１３記載の方法。
【請求項１５】
ミスマッチ修復遺伝子の該優性ネガティブ対立遺伝子の誘導を停止し、これにより該細胞を安定化させることをさらに含んでなる、請求項１３記載の方法。
【請求項１６】
請求項１記載の方法により作製された超変異性抗原。
【請求項１７】
請求項１６記載の少なくとも１種の超変異性抗原および製剤学的に許容できるキャリヤーを含んでなる免疫原性組成物。
【手続補正書】
【提出日】平成17年1月14日(2005.1.14)
【手続補正１】
【補正対象書類名】特許請求の範囲
【補正対象項目名】全文
【補正方法】変更
【補正の内容】
【特許請求の範囲】
【請求項１】
配列番号：１６６、１６８、１７０、１７２および１７４のいずれか１に記載のヌクレオチド配列またはその種ホモログによって表される遺伝子に突然変異を含み、ここに該突然変異が突然変異遺伝子によってコードされる遺伝子産物の活性の低下を生じることを特徴とする弱毒化マンハイミア（Mannheimia）細菌。
【請求項２】
該突然変異が、突然変異遺伝子によってコードされる遺伝子産物の発現の低下を生じる請求項１に記載のマンハイミア細菌。
【請求項３】
該突然変異が、突然変異遺伝子によってコードされる不活性遺伝子産物の発現を生じる請求項１記載のマンハイミア細菌。
【請求項４】
該突然変異が該遺伝子の全部または一部分の欠失を生じる請求項１記載のマンハイミア細菌。
【請求項５】
マンハイミア細菌がマンハイミア・ヘモリティカ（Mannheimia haemolytica）である請求項１記載のマンハイミア細菌。
【請求項６】
該突然変異が、突然変異遺伝子によってコードされる遺伝子産物の発現の低下を生じる請求項５記載のマンハイミア細菌。
【請求項７】
該突然変異が、突然変異遺伝子によってコードされる不活性遺伝子産物の発現を生じる請求項５記載のマンハイミア細菌。
【請求項８】
該突然変異が、該遺伝子の全部または一部分の欠失を生じる請求項５記載のマンハイミア細菌。
【請求項９】
請求項１〜８いずれか１項記載の細菌を含む免疫原性組成物。
【請求項１０】
請求項９記載の免疫原性組成物および医薬上許容し得る担体を含むワクチン組成物。
【請求項１１】
さらに、アジュバントを含む請求項１０記載のワクチン組成物。
【請求項１２】
配列番号：１６６、１６８、１７０、１７２および１７４のいずれか１に記載のヌクレオチド配列またはその種ホモログによって表される遺伝子に突然変異を導入する工程を含み、ここに該突然変異が突然変異遺伝子によってコードされる遺伝子産物の活性の低下を生じることを特徴とするグラム陰性細菌突然変異体を作成する方法。
【請求項１３】
配列番号：１６６、１６８、１７０、１７２および１７４のいずれか１に記載のヌクレオチド配列またはその種ホモログによって表される遺伝子に突然変異を導入する工程を含み、ここに該突然変異が突然変異遺伝子によってコードされる遺伝子産物の活性の低下を生じることを特徴とする弱毒化マンハイミア（Mannheimia）細菌を作成する方法。
【請求項１４】
配列番号：１６６、１６８、１７０、１７２および１７４に記載のヌクレオチド配列よりなる群から選択されるヌクレオチド配列を含む精製および単離されたマンハイミア・ポリヌクレオチド。
【請求項１５】
配列番号：１６６に記載のヌクレオチド配列を含む精製および単離されたマンハイミア・ポリヌクレオチド。
【請求項１６】
ａ）請求項１４記載のポリヌクレオチド、  ｂ）（ａ）のポリヌクレオチドによってコードされるポリペプチドをコードするポリヌクレオチド、および  ｃ）中程度のストリンジェンシーの条件下で（ａ）または（ｂ）のポリヌクレオチドの相補体にハイブリダイズするポリヌクレオチドよりなる群から選択されるマンハイミアの病原性遺伝子産物をコードする単離および精製されたポリヌクレオチドまたはその種ホモログ。
【請求項１７】
配列番号：１６７、１６９、１７１、１７３および１７５に記載のアミノ酸配列を有するポリペプチドよりなる群から選択されるポリペプチドをコードする精製および単離されたマンハイミア・ポリヌクレオチド。
【請求項１８】
ＤＮＡである請求項１７記載のポリヌクレオチド。
【請求項１９】
請求項１８記載のＤＮＡを含むベクター。
【請求項２０】
ＤＮＡが発現制御ＤＮＡ配列に作動可能に連結された発現ベクターである請求項１９記載のベクター。
【請求項２１】
宿主細胞におけるコードされたポリペプチドの発現を許容するように請求項１８記載のＤＮＡで安定に形質転換またはトランスフェクトされた宿主細胞。
【請求項２２】
栄養培地中で請求項２１記載の宿主細胞を培養し、ついで該宿主細胞または該栄養培地からコードされたポリペプチドを単離することを含む組換えポリペプチドを作製する方法。
【請求項２３】
請求項２２記載の方法によって作製した精製されたポリペプチド。
【請求項２４】
配列番号：１６７、１６９、１７１、１７３および１７５に記載のアミノ酸配列を有するポリペプチドよりなる群から選択されるポリペプチドを含む精製されたポリペプチド。
【請求項２５】
請求項２４記載のポリペプチドと特異的に反応性である抗体。
【請求項２６】
モノクローナル抗体である請求項２５記載の抗体。
【請求項２７】
細菌の抽出物と請求項２６記載のモノクローナル抗体とを接触させ、ついで該モノクローナル抗体の結合の不存在を検出する工程を含む、請求項１または５記載の細菌を同定するための該抗体を使用する方法。
【請求項２８】
配列番号：１６７、１６９、１７１、１７３および１７５のいずれか１に記載のアミノ酸配列によって表される遺伝子産物の発現または活性に干渉する能力について潜在的な剤をアッセイし、ついで該遺伝子産物の発現または活性に干渉する剤を同定する工程を含む抗菌剤を同定する方法。
【請求項２９】
ａ）配列番号：１６７、１６９、１７１、１７３および１７５のいずれか１に記載の遺伝子産物の発現または活性を測定し；  ｂ)（ａ）の遺伝子産物と試験化合物とを接触させ；  ｃ）試験化合物の存在下における遺伝子産物の発現または活性を測定し；ついで  ｄ）試験化合物の不存在下の発現または活性と比較して試験化合物の存在下では遺伝子産物の発現または活性が低下する場合に、試験化合物を抗菌剤として同定する工程を含む抗菌剤を同定する方法。
【手続補正書】
【提出日】平成17年9月13日(2005.9.13)
【手続補正１】
【補正対象書類名】特許請求の範囲
【補正対象項目名】全文
【補正方法】変更
【補正の内容】
【特許請求の範囲】
【請求項１】
飲料を調製するのに使用する、飲料に味を加えずに色を付与する氷片の製造方法であって、
野菜及び／又は果実物質を液体中に導入し、前記物質から色を引き出し、前記液体はその中で前記物質から浸出し浸出液を得るために高温であるステップ；及び
前記浸出液をろ過するステップを含み、
さらに、前記浸出液を冷却し、次に冷却した浸出液を冷凍して、容易に分離できる、着色した氷片を得るステップを含む製造方法。
【請求項２】
前記野菜及び／又は果実物質を前記液体中に約５分間導入する、請求項１記載の製造方法。
【請求項３】
前記野菜及び／又は果実物質を純水な湧水が入った容器に加え、生成した浸出液を前記容器から濾し、さらに前記浸出液から氷片を製造する、請求項１又は２に記載の製造方法。
【請求項４】
前記液体を沸騰させ、次いでそれを９０℃の温度に冷却するステップを含む、請求項１、２、又は３に記載の製造方法。
【請求項５】
前記液体中に前記野菜及び／又は果実物質の混合物を導入する、請求項１〜４のいずれか一項に記載の製造方法。
【請求項６】
前記浸出液の製造プロセスの間、前記液体内で前記物質を穏やかに撹拌するステップを含む、請求項１〜５のいずれか一項に記載の製造方法。
【請求項７】
請求項１〜６のいずれか一項又は複数項に記載の方法のステップを含む、飲料の製造方法。
【請求項８】
飲料に入れるように用意された、味がなく且つ着色した氷片であって、請求項１〜６のいずれか一項又は複数項に記載の製造法にしたがって形成され、野菜及び／又は果実物質の浸出液を含む冷凍された液体を含む氷片。
【請求項９】
前記氷片がその中で溶解する液体の中に、請求項８記載の氷片を加えることによって製造された飲料。
【手続補正書】
【提出日】平成17年6月27日(2005.6.27)
【手続補正１】
【補正対象書類名】特許請求の範囲
【補正対象項目名】全文
【補正方法】変更
【補正の内容】
【特許請求の範囲】
【請求項１】
ａ）塩化ビニルポリマーと、
ｂ）１００部の塩化ビニルポリマーあたり２〜２０重量部の少なくとも１つのエチレン／α−オレフィン共重合体であって、０．８５８〜０．９１ｇ／ｃｃの密度およびＩ10値０．１〜Ｉ2値１０のメルトインデックスを有するエチレン／α−オレフィン共重合体と、
ｃ）１００部の塩化ビニルポリマーあたり０．１〜ｌ重量部未満の少なくとも１つの無作為に塩素化されたポリオレフィンと、
を含むことを特徴とする組成物。
【請求項２】
ａ）０．８５８〜０．９１ｇ／ｃｃの密度を有し、かつＩ10値０．１〜Ｉ2値１０のメルトインデックスを有する、少なくとも１つのエチレン／α−オレフィン共重合体と、
ｂ）少なくとも１つの無作為に塩素化されたポリオレフィンと、
を衝撃を改良する有効量で含むことを特徴とする塩化ビニルポリマーのための衝撃改質剤組成物。
【請求項３】
請求項１または２に記載の塩化ビニルポリマー組成物から作製されたパイプ、異形材、またはビニル羽目板を備えることを特徴とする物品。
【手続補正２】
【補正対象書類名】明細書
【補正対象項目名】００２４
【補正方法】変更
【補正の内容】
【００２４】
本発明の耐衝撃性組成物は、ＰＶＣ羽目板、異形材、およびパイプ製造において特に有用である。
以下に本明細書に開示される発明の好ましい態様につき列記する。
１．  ａ）塩化ビニルポリマーと、
ｂ）１００部の塩化ビニルポリマーあたり２〜２０重量部の少なくとも１つのエチレン／α−オレフィン共重合体であって、０．８５８〜０．９１ｇ／ｃｃの密度およびＩ10値０．１〜Ｉ2値１０のメルトインデックスを有するエチレン／α−オレフィン共重合体と、
ｃ）１００部の塩化ビニルポリマーあたり０．１〜ｌ重量部未満の少なくとも１つの無作為に塩素化されたポリオレフィンと、
を含むことを特徴とする組成物。
２．  α−オレフィンがＣ3〜Ｃ8のオレフィンであることを特徴とする前記１．に記載の組成物。
３．  α−オレフィンが任意選択的に置換されたスチレンであることを特徴とする前記１．に記載の組成物。
４．  エチレン／α−オレフィン共重合体が、エチレン／プロピレン、エチレン／ブテン、エチレン／ヘキセン、エチレン／オクテン、エチレン／プロピレン／５−エチリデン−２−ノルボルネン、およびエチレン／ブテン／５−エチリデン−２−ノルボルネン共重合体から成る群より選択されることを特徴とする前記１．に記載の組成物。
５．  エチレン／α−オレフィン共重合体が、Ｉ10値０．３〜Ｉ2値５のメルトインデックスを有することを特徴とする前記１．に記載の組成物。
６．  無作為に塩素化されたポリオレフィンは、２０〜４０％の塩素含量を有し、かつＩ10値０．１〜Ｉ2値１０のメルトインデックスを有するポリエチレンから作製される、無作為に塩素化されたポリエチレンであることを特徴とする前記１．に記載の組成物。
７．  無作為に塩素化されたポリエチレンが、Ｉ10値０．３〜Ｉ2値５のメルトインデックスを有するポリエチレンから作製されることを特徴とする前記６．に記載の組成物。
８．  無作為に塩素化されたポリオレフィンは、エチレンと、２０〜４０％の塩素含量を有し、かつＩ10値０．１〜Ｉ2値１０のメルトインデックスを有するエチレン共重合体から作製される１つまたは複数のＣ3〜Ｃ8のα−オレフィンとの無作為に塩素化された共重合体であることを特徴とする前記１．に記載の組成物。
９．  無作為に塩素化された共重合体が、Ｉ10値０．３〜Ｉ2値５のメルトインデックスを有することを特徴とする前記８．に記載の組成物。
１０．  ５〜５０部の無機充填材をさらに含むことを特徴とする前記１．〜９．のいずれかに記載の組成物。
１１．  無機充填材が炭酸カルシウムであることを特徴とする前記１０．に記載の組成物。
１２．  ａ）０．８５８〜０．９１ｇ／ｃｃの密度を有し、かつＩ10値０．１〜Ｉ2値１０のメルトインデックスを有する、少なくとも１つのエチレン／α−オレフィン共重合体と、
ｂ）少なくとも１つの無作為に塩素化されたポリオレフィンと、
を衝撃を改良する有効量で含むことを特徴とする塩化ビニルポリマーのための衝撃改質剤組成物。
１３．  α−オレフィンがＣ3〜Ｃ8のオレフィンであることを特徴とする前記１２．に記載の組成物。
１４．  α−オレフィンが任意選択的に置換されたスチレンであることを特徴とする前記１２．に記載の組成物。
１５．  エチレン／α−オレフィン共重合体が、エチレン／プロピレン、エチレン／ブテン、エチレン／ヘキセン、エチレン／オクテン、エチレン／プロピレン／５−エチリデン−２−ノルボルネン、およびエチレン／ブテン／５−エチリデン−２−ノルボルネン共重合体から成る群より選択されることを特徴とする前記１２．に記載の組成物。
１６．  エチレン／α−オレフィン共重合体が、Ｉ10値０．３〜Ｉ2値５のメルトインデックスを有することを特徴とする前記１２．に記載の組成物。
１７．  無作為に塩素化されたポリオレフィンは、２０〜４０％の塩素含量を有し、かつＩ10値０．１〜Ｉ2値１０のメルトインデックスを有するポリエチレンから作製される、無作為に塩素化されたポリエチレンであることを特徴とする前記１２．に記載の組成物。
１８．  無作為に塩素化されたポリエチレンが、Ｉ10値０．３〜Ｉ2値５のメルトインデックスを有するポリエチレンから作製されることを特徴とする前記１７．に記載の組成物。
１９．  無作為に塩素化されたポリオレフィンは、エチレンと、２０〜４０％の塩素含量を有し、かつＩ10値０．１〜Ｉ2値１０のメルトインデックスを有するエチレン共重合体から作製される１つまたは複数のＣ3〜Ｃ8のα−オレフィンとの無作為に塩素化された共重合体であることを特徴とする前記１２．に記載の組成物。
２０．  無作為に塩素化された共重合体が、Ｉ10値０．３〜Ｉ2値５のメルトインデックを有することを特徴とする前記１９．に記載の組成物。
２１．  ５〜５０部の無機充填材をさらに含むことを特徴とする前記１２．〜２０．のいずれかに記載の組成物。
２２．  無機充填材が炭酸カルシウムであることを特徴とする前記２１．に記載の組成物。
２３．  前記１．〜９．または１２．〜２０．のいずれかに記載の塩化ビニルポリマー組成物から作製されたパイプ、異形材、またはビニル羽目板を備えることを特徴とする物品。
２４．  前記１０．に記載の塩化ビニルポリマー組成物から作製されたパイプ、異形材、またはビニル羽目板を備えることを特徴とする物品。
２５．  前記１１．に記載の塩化ビニルポリマー組成物から作製されたパイプ、異形材、またはビニル羽目板を備えることを特徴とする物品。
２６．  前記２１．に記載の塩化ビニルポリマー組成物から作製されたパイプ、異形材、またはビニル羽目板を備えることを特徴とする物品。
２７．  前記２２．に記載の塩化ビニルポリマー組成物から作製されたパイプ、異形材、またはビニル羽目板を備えることを特徴とする物品。
【手続補正書】
【提出日】平成17年7月14日(2005.7.14)
【手続補正１】
【補正対象書類名】特許請求の範囲
【補正対象項目名】全文
【補正方法】変更
【補正の内容】
【特許請求の範囲】
【請求項１】
エポキシ−アミン付加物のバインダーと、ブロックポリイソシアネート架橋剤と、エポキシ−アミン付加物の中和剤としての有機または無機酸とを含む、改良された水性陰極電着組成物であって；前記改良点が、ヒドロキシ官能性環状カーボネート化合物でブロックされた少なくとも１つのイソシアネート基を有するブロックポリイソシアネート架橋剤を組み込むことである電着組成物。
【請求項２】
ヒドロキシ官能性環状カーボネートモノマー化合物でブロックされた少なくとも１つのイソシアネート基と、エーテルアルコールまたはアルキルアルコールでブロックされた残りのイソシアネート基を有することを特徴とする、ブロックポリイソシアネート架橋剤。
【請求項３】
以下の工程：
２つの水酸基を含むフェノールで延長され、かつアミンと反応されたエポキシ樹脂のエポキシアミン付加物を調製する工程と、
ブロックポリイソシアネート架橋剤を調製する工程と、
前記エポキシアミン付加物を前記ブロックポリイソシアネート架橋剤とブレンドする工程と、
前記エポキシアミン付加物を有機酸または無機酸で中和して、エマルジョンを形成する工程と、
顔料分散液を形成し、該顔料分散液を中和されたエマルジョンとブレンドする工程と、
を任意の実行可能な順序で含む陰極電着組成物を調製する改良方法であって、
前記改良点が、工程（ｂ）において、ヒドロキシ官能性環状カーボネートート化合物でブロックされた少なくとも１つのイソシアネート基を有するブロックポリイソシアネート架橋剤を使用する工程からなることである、陰極電着組成物を調製する改良方法。
【請求項４】
請求項１に記載の乾燥かつ硬化された組成物で電着塗装された基材。
【手続補正２】
【補正対象書類名】明細書
【補正対象項目名】００６０
【補正方法】変更
【補正の内容】
【００６０】
上記の結果から、グリセリンカーボネートブロックポリイソシアネート架橋剤を含有する電着浴Ｉが、従来の架橋剤を含有する電着浴ＩＩよりも良好な表面平滑性、良好なエッジ耐食性、優れた架橋および良好なベーク・オフ損失を有することが示されている。
本発明は、特許請求の範囲に記載の発明に加え、以下の発明を包含する。
（１）  エポキシ−アミン付加物のバインダーと、ブロックポリイソシアネート架橋剤と、エポキシ−アミン付加物の中和剤としての有機または無機酸とを含む、改良された水性陰極電着組成物であって；前記改良点が、ヒドロキシ官能性環状カーボネート化合物でブロックされた少なくとも１つのイソシアネート基を有するブロックポリイソシアネート架橋剤を組み込むことである電着組成物。
（２）  前記ブロックポリイソシアネート架橋剤が、ヒドロキシ官能性環状カーボネート化合物で完全にブロックされることを特徴とする、（１）に記載の改良された電着組成物。
（３）  前記ブロックポリイソシアネートが、ヒドロキシ官能性環状カーボネート化合物でブロックされたイソシアネート基を平均基準で１つのみ有することを特徴とする、（１）に記載の改良された電着組成物。
（４）  前記の残りのイソシアネート基が、飽和アルキルアルコール、エーテルアルコール、オキシムまたはアミドでブロックされることを特徴とする、（３）に記載の改良された電着組成物。
（５）  前記ブロックポリイソシアネート架橋剤が、ヒドロキシ官能性環状カーボネート化合物で部分的にブロックされ、残りのイソシアネート基が、飽和アルキルアルコール、エーテルアルコール、オキシムおよびアミドからなる群から選択されるブロック剤でブロックされることを特徴とする、（１）に記載の改良された電着組成物。
（６）  前記エポキシ−アミン付加物が、第１級アミン、第２級アミンおよびケチミンおよびそれらの混合物からなる群から選択されるアミンを含有することを特徴とする、（１）に記載の改良された電着組成物。
（７）  前記ヒドロキシ官能性環状カーボネートブロック剤が、一般式：
【化１】
2005502759.tif 000001
（式中、Ｒ、Ｒ１、Ｒ２、Ｒ３およびＲ４はそれぞれ独立して、Ｈまたは炭素原子１〜１２個を有するアルキル基から選択され、Ｘは０〜１である）
を有することを特徴とする、（１）に記載の改良された電着組成物。
（８）  前記ヒドロキシ官能性環状カーボネートブロック剤が、グリセリンカーボネートであることを特徴とする、（１）に記載の改良された電着組成物。
（９）  前記エポキシ付加物が、２つの水酸基を持つフェノールで延長され、かつアミンと反応されたポリエポキシヒドロキシエーテル樹脂を含み、かつ有機または無機酸で中和されることを特徴とする、（１）に記載の改良された電着組成物。
（１０）  ヒドロキシ官能性環状カーボネートモノマー化合物でブロックされた少なくとも１つのイソシアネート基と、エーテルアルコールまたはアルキルアルコールでブロックされた残りのイソシアネート基を有することを特徴とする、ブロックポリイソシアネート架橋剤。
（１１）  Ｒ１が、一般式：
【化２】
2005502759.tif 000002
（式中、Ｒ、Ｒ１、Ｒ２、Ｒ３およびＲ４はそれぞれ独立して、Ｈまたは炭素原子１〜１２個を有するアルキル基から選択され、Ｘは０〜１である）
を有する環状カーボネートの基であることを特徴とする、（１０）に記載のブロックポリイソシアネート架橋剤。
（１２）  以下の工程：
２つの水酸基を含むフェノールで延長され、かつアミンと反応されたエポキシ樹脂のエポキシアミン付加物を調製する工程と、
ブロックポリイソシアネート架橋剤を調製する工程と、
前記エポキシアミン付加物を前記ブロックポリイソシアネート架橋剤とブレンドする工程と、
前記エポキシアミン付加物を有機酸または無機酸で中和して、エマルジョンを形成する工程と、
顔料分散液を形成し、該顔料分散液を中和されたエマルジョンとブレンドする工程と、
を任意の実行可能な順序で含む陰極電着組成物を調製する改良方法であって、
前記改良点が、工程（ｂ）において、ヒドロキシ官能性環状カーボネートート化合物でブロックされた少なくとも１つのイソシアネート基を有するブロックポリイソシアネート架橋剤を使用する工程からなることである、陰極電着組成物を調製する改良方法。
（１３）  （１）に記載の乾燥かつ硬化された組成物で電着塗装された基材。
（１４）  前記基材が、車体または自動車部品であることを特徴とする、（１３）に記載の電着塗装される基材。
【手続補正書】
【提出日】平成17年5月30日(2005.5.30)
【手続補正１】
【補正対象書類名】特許請求の範囲
【補正対象項目名】全文
【補正方法】変更
【補正の内容】
【特許請求の範囲】
【請求項１】
下記式：
【化１】
2005502722.tif 000001
ただし、Ａは、Ｈ、Ｒ、または下記式：
【化２】
2005502722.tif 000002
であり；
Ａｒ１、Ａｒ２、及びＡｒ３のそれぞれは、独立して、フェニル、チエニル、フリル、またはピロリルであり；
Ｒ１、Ｒ２、Ｒ３、Ｒ４、Ｒ５、及びＲ６のそれぞれは、独立して、Ｈ、ニトロ、ハロゲン、Ｒ、ＯＨ、ＯＲ、Ｃ（Ｏ）ＯＨ、Ｃ（Ｏ）ＯＲ、Ｃ（Ｏ）ＳＨ、Ｃ（Ｏ）ＳＲ、Ｃ（Ｏ）ＮＨ２、Ｃ（Ｏ）ＮＨＲ、Ｃ（Ｏ）ＮＲＲ’、ＲＯＨ、ＲＯＲ’、ＲＳＨ、ＲＳＲ’、ＲＯＣ（Ｏ）Ｒ’ＯＨ、ＮＨＲ、ＮＲＲ’、ＲＮＨＲ’、若しくはＲＮＲ’Ｒ”であり；またはＲ１及びＲ２が一緒に、Ｒ３及びＲ４が一緒に、若しくはＲ５及びＲ６が一緒にＯＲＯであり；この際、Ｒ、Ｒ’、及びＲ”のそれぞれは、独立して、炭素原子数１〜６のアルキルであり；ならびに
ｎは、１、２、または３である、
の化合物、及び製薬上許容できる担体を含む、学習及び記憶の亢進または健忘症の治療に使用される薬剤組成物。
【請求項２】
Ａは、下記式：
【化３】
2005502722.tif 000003
である、請求項１に記載の薬剤組成物。
【請求項３】
Ａｒ１はフェニルである、請求項２に記載の薬剤組成物。
【請求項４】
Ｒ１及びＲ２は、それぞれ、フェニルの４及び５位で置換される、請求項３に記載の薬剤組成物。
【請求項５】
Ａｒ２は５’−フリルである、請求項２に記載の薬剤組成物。
【請求項６】
Ｒ３及びＲ４の一方が、フリルの２位で置換される、請求項５に記載の薬剤組成物。
【請求項７】
Ａｒ３はフェニルである、請求項２に記載の薬剤組成物。
【請求項８】
ｎは１である、請求項７に記載の薬剤組成物。
【請求項９】
Ａｒ１はフェニルである、請求項８に記載の薬剤組成物。
【請求項１０】
Ｒ１及びＲ２は、それぞれ、フェニルの４及び５位で置換される、請求項９に記載の薬剤組成物。
【請求項１１】
Ａｒ２は５’−フリルである、請求項１０に記載の薬剤組成物。
【請求項１２】
Ｒ５及びＲ６のそれぞれはＨであり、かつＲ３及びＲ４の一方がフリルの２位で置換される、請求項１１に記載の薬剤組成物。
【請求項１３】
Ｒ１及びＲ２のそれぞれはＨである、請求項１２に記載の薬剤組成物。
【請求項１４】
Ｒ３及びＲ４の一方がＨであり、かつ他方がＣＨ２ＮＣＨ３である、請求項１３に記載の薬剤組成物。
【請求項１５】
Ｒ３及びＲ４の一方がＨであり、かつ他方がＣＨ２ＯＨである、請求項１３に記載の薬剤組成物。
【請求項１６】
Ｒ３及びＲ４の一方がＨであり、かつ他方がＣＨ２ＯＣＨ３である、請求項１３に記載の薬剤組成物。
【請求項１７】
Ｒ３及びＲ４の一方がＨであり、かつ他方がＣＯＯＣＨ３である、請求項１３に記載の薬剤組成物。
【請求項１８】
Ｒ３及びＲ４の一方がＨであり、かつ他方がＣＨ２ＯＨである、請求項１２に記載の薬剤組成物。
【請求項１９】
Ｒ１及びＲ２のそれぞれがＨである、請求項１８に記載の薬剤組成物。
【請求項２０】
Ｒ１がＨであり、かつＲ２がＦである、請求項１８に記載の薬剤組成物。
【請求項２１】
Ｒ１がＨであり、かつＲ２がＯＣＨ３である、請求項１８に記載の薬剤組成物。
【請求項２２】
Ｒ１及びＲ２が一緒にＯＣＨ２Ｏである、請求項１８に記載の薬剤組成物。
【請求項２３】
Ａｒ１はチエニルである、請求項２に記載の薬剤組成物。
【請求項２４】
Ａｒ２はフェニルである、請求項３に記載の薬剤組成物。
【請求項２５】
Ｒ３及びＲ４の一方がフェニルの４位で置換される、請求項２４に記載の薬剤組成物。
【請求項２６】
Ｒ３及びＲ４の一方がＨであり、かつ他方がＣＨ３である、請求項２５に記載の薬剤組成物。
【請求項２７】
Ａｒ３はフェニルである、請求項２４に記載の薬剤組成物。
【請求項２８】
ｎは１である、請求項２７に記載の薬剤組成物。
【請求項２９】
Ｒ３及びＲ４の一方がフェニルの４位で置換される、請求項２８に記載の薬剤組成物。
【請求項３０】
Ｒ３及びＲ４の一方がＨであり、かつ他方がＣＨ３である、請求項２９に記載の薬剤組成物。
【請求項３１】
Ｒ１及びＲ２のそれぞれがＨであり、Ｒ５及びＲ６の一方がＨであり、かつ他方がフェニルの３位で置換されるＣｌである、請求項３０に記載の薬剤組成物。
【請求項３２】
Ｒ１及びＲ２のそれぞれがＨであり、Ｒ５及びＲ６の一方がＨであり、かつ他方がフェニルの４位で置換されるＮＯ２である、請求項３０に記載の薬剤組成物。
【請求項３３】
ＡはＨである、請求項１に記載の薬剤組成物。
【請求項３４】
Ａｒ１はフェニルである、請求項３３に記載の薬剤組成物。
【請求項３５】
Ｒ１及びＲ２は、それぞれ、フェニルの４及び５位で置換される、請求項３４に記載の薬剤組成物。
【請求項３６】
Ａｒ２は５’−フリルである、請求項３５に記載の薬剤組成物。
【請求項３７】
Ｒ３及びＲ４の一方がフリルの２位で置換される、請求項３６に記載の薬剤組成物。
【請求項３８】
Ｒ１及びＲ２のそれぞれがＨである、請求項３７に記載の薬剤組成物。
【請求項３９】
Ｒ３及びＲ４の一方がＨであり、かつ他方がＣＯＯＣＨ３である、請求項３８に記載の薬剤組成物。
【請求項４０】
Ａｒ２は５’−フリルである、請求項３３に記載の薬剤組成物。
【請求項４１】
Ｒ３及びＲ４の一方がフリルの２位で置換される、請求項４０に記載の薬剤組成物。